(57)【特許請求の範囲】
【請求項１】
多層建築物の特定下層階の床面上の複数位置にそれぞれジャッキを設置すると共にジャッキを内包する所定径の中空筒状ベースを配置し，前記筒状ベース上に同じ径で周方向に分割可能な複数の筒状片を有すると共に各筒状片の突き合わせ間隙に上下移動案内部と係止部とを設けた所定高さの半割型中空筒状ブロックを天井近傍まで複数段積層配置し，そのブロック積層体の中空部に荷重受け治具を上下移動可能に係合させ，前記荷重受け治具を筒状ベース直上の最下段ブロックの１段上のブロックの係止部に係止してジャッキを伸張させ且つ係止部の上方ブロックを押し上げて上層階の荷重を支持しつつ最下段ブロックを分割して除去する伸張ステップと，前記ジャッキを収縮させて前記押し上げた１段上のブロックを筒状ベース上に着座させて新たな最下段ブロックとし且つその新たな最下段ブロックの１段上のブロックの係止部に荷重受け治具を移動させる収縮ステップとを繰り返すことにより，ジャッキ上層階を下降させてなる多層建築物の昇降方法。
【請求項２】
多層建築物の特定下層階の床面上の複数位置にそれぞれジャッキを設置すると共にジャッキを内包する所定径の中空筒状ベースを配置し，前記筒状ベース上に同じ径で周方向に分割可能な複数の筒状片を有すると共に各筒状片の突き合わせ間隙に上下移動案内部と係止部とを設けた所定高さの半割型中空筒状ブロックを天井近傍まで複数段積層配置し，そのブロック積層体の中空部に荷重受け治具を上下移動可能に係合させ，前記荷重受け治具を筒状ベース直上の最下段ブロックの係止部に係止してジャッキを伸張させ且つ係止部の上方ブロックを押し上げた下方間隙に前記筒状片を挿入して新たな最下段ブロックを組み立てる伸張ステップと，前記ジャッキを収縮させて前記押し上げた係止部の上方ブロックを新たな最下段ブロック上に着座させ且つその新たな最下段ブロックの係止部に荷重受け治具を移動させる収縮ステップとを繰り返すことにより，ジャッキ上層階を上昇させてなる多層建築物の昇降方法。
【請求項３】
多層建築物の特定下層階の床面上の複数位置にそれぞれ所定径の中空筒状ベースを配置し，前記筒状ベース上に同じ径で周方向に分割可能な複数の筒状片を有すると共に各筒状片の突き合わせ間隙に上下移動案内部と係止部とを設けた所定高さの半割型中空筒状ブロックを天井近傍まで複数段積層配置し，そのブロック積層体の中空部に荷重受け治具を上下移動可能に係合させ，前記荷重受け治具上にジャッキを設置して積層体に内包させ，前記荷重受け治具を最上段ブロックの１段下のブロックの係止部に係止して各ジャッキを伸張させて上層階に当接させ且つ上層階の荷重を支持しつつ最上段ブロックを分割して除去する伸張ステップと，前記ジャッキを収縮させて上層階を前記１段下の新たな最上段ブロック上に着座させ且つその新たな最上段ブロックの１段下のブロックの係止部に荷重受け治具を移動させる収縮ステップとを繰り返すことにより，ジャッキ上層階を下降させてなる多層建築物の昇降方法。
【請求項４】
多層建築物の特定下層階の床面上の複数位置にそれぞれ所定径の中空筒状ベースを配置し，前記筒状ベース上に同じ径で周方向に分割可能な複数の筒状片を有すると共に各筒状片の突き合わせ間隙に上下移動案内部と係止部とを設けた所定高さの半割型中空筒状ブロックを天井近傍まで複数段積層配置し，そのブロック積層体の中空部に荷重受け治具を上下移動可能に係合させ，前記荷重受け治具上にジャッキを設置して積層体に内包させ，前記荷重受け治具を最上段ブロックの係止部に係止して各ジャッキを伸張させて上層階に当接させ且つ上層階を押し上げた下方間隙に前記筒状片を挿入して新たな最上段ブロックを組み立てる伸張ステップと，前記ジャッキを収縮させて上層階を前記新たな最上段ブロック上上に着座させ且つその新たな最上段ブロックの係止部に荷重受け治具を移動させる収縮ステップとを繰り返すことにより，ジャッキ上層階を上昇させてなる多層建築物の昇降方法。
【請求項５】
多層建築物の特定下層階の床面上の複数位置にそれぞれ設置するジャッキとそのジャッキを内包するように配置する所定径の中空筒状ベース；前記筒状ベースと同じ径で周方向に分割可能な複数の筒状片を有すると共に各筒状片の突き合わせ間隙に上下移動案内部と係止部とが設けられ且つ前記筒状ベース上にジャッキ天井近傍まで複数段積層配置する所定高さの半割型中空筒状ブロック；前記ブロック積層体の中空部に上下移動可能に係合させる荷重受け治具；及び前記荷重受け治具を筒状ベース直上の最下段ブロックの１段上のブロックの係止部に係止してジャッキを伸張させ且つ係止部の上方ブロックを押し上げて上層階の荷重を支持しつつ最下段ブロックを分割して除去する伸張ステップと，前記ジャッキを収縮させて前記押し上げた１段上のブロックを筒状ベース上に着座させて新たな最下段ブロックとし且つその新たな最下段ブロックの１段上のブロックの係止部に荷重受け治具を移動させる収縮ステップとを繰り返すことにより，ジャッキ上層階を下降させるジャッキ制御装置を備えてなる多層建築物の昇降システム。
【請求項６】
多層建築物の特定下層階の床面上の複数位置にそれぞれ設置するジャッキとそのジャッキを内包するように配置する所定径の中空筒状ベース；前記筒状ベースと同じ径で周方向に分割可能な複数の筒状片を有すると共に各筒状片の突き合わせ間隙に上下移動案内部と係止部とが設けられ且つ前記筒状ベース上にジャッキ天井近傍まで複数段積層配置する所定高さの半割型中空筒状ブロック；前記ブロック積層体の中空部に上下移動可能に係合させる荷重受け治具；及び前記荷重受け治具を筒状ベース直上の最下段ブロックの係止部に係止してジャッキを伸張させ且つ係止部の上方ブロックを押し上げた下方間隙に前記筒状片を挿入して新たな最下段ブロックを組み立てる伸張ステップと，前記ジャッキを収縮させて前記押し上げた係止部の上方ブロックを新たな最下段ブロック上に着座させ且つその新たな最下段ブロックの係止部に荷重受け治具を移動させる収縮ステップとを繰り返すことにより，ジャッキ上層階を上昇させるジャッキ制御装置を備えてなる多層建築物の昇降システム。
【請求項７】
多層建築物の特定下層階の床面上の複数位置にそれぞれ配置する所定径の中空筒状ベース；前記筒状ベースと同じ径で周方向に分割可能な複数の筒状片を有すると共に各筒状片の突き合わせ間隙に上下移動案内部と係止部とが設けられ且つ前記筒状ベース上にジャッキ天井近傍まで複数段積層配置する所定高さの半割型中空筒状ブロック；前記ブロック積層体の中空部に上下移動可能に係合させる荷重受け治具；前記荷重受け治具上に設置して積層体に内包させるジャッキ：前記荷重受け治具を最上段ブロックの１段下のブロックの係止部に係止して各ジャッキを伸張させて上層階に当接させ且つ上層階の荷重を支持しつつ最上段ブロックを分割して除去する伸張ステップと，前記ジャッキを収縮させて上層階を前記１段下のブロック上に着座させて新たな最上段ブロックとし且つその新たな最上段ブロックの１段下のブロックの係止部に荷重受け治具を移動させる収縮ステップとを繰り返すことにより，ジャッキ上層階を下降させるジャッキ制御装置を備えてなる多層建築物の昇降システム。
【請求項８】
多層建築物の特定下層階の床面上の複数位置にそれぞれ配置する所定径の中空筒状ベース；前記筒状ベースと同じ径で周方向に分割可能な複数の筒状片を有すると共に各筒状片の突き合わせ間隙に上下移動案内部と係止部とが設けられ且つ前記筒状ベース上にジャッキ天井近傍まで複数段積層配置する所定高さの半割型中空筒状ブロック；前記ブロック積層体の中空部に上下移動可能に係合させる荷重受け治具；前記荷重受け治具上に設置して積層体に内包させるジャッキ：前記荷重受け治具を最上段ブロックの係止部に係止して各ジャッキを伸張させて上層階に当接させ且つ上層階を押し上げた下方間隙に前記筒状片を挿入して新たな最上段ブロックを組み立てる伸張ステップと，前記ジャッキを収縮させて上層階を前記新たな最上段ブロック上に着座させ且つその新たな最上段ブロックの係止部に荷重受け治具を移動させる収縮ステップとを繰り返すことにより，ジャッキ上層階を上昇させるジャッキ制御装置を備えてなる多層建築物の昇降システム。
【発明の詳細な説明】
【技術分野】
【０００１】
本発明は多層建築物の昇降方法及びシステムに関し、とくに多層建築物の下層階に介装したジャッキで上層階を上昇又は下降させる方法及びシステムに関する。
【背景技術】
【０００２】
多層建築物を構築する場合に、従来はクレーン等を用いて下層階（例えば地上階）から上層階へと順次積み重ねて構築する工法が一般的であるが、例えば特許文献１及び２が開示するように、地上で１階層ずつ構築してジャッキにより順次上昇（ジャッキアップ）させながら上層階から下層階へと順次構築する工法（以下、ジャッキアップ工法ということがある）が開発されている。図７は、特許文献１の開示するジャッキアップ工法によって多層建築物１の上層階を下層階（図示例では地上階）に介装したジャッキ１０で上昇させながら構築する手順を示す。なお図示例のジャッキ１０は、建築物の１階層に相当する高さの仮設柱体１０ａとネジ棒とを備え、そのネジ棒を利用して仮設柱体１０ａに沿って上昇又は下降するネジ式ジャッキである。
【０００３】
図７のジャッキアップ工法では、先ず地盤Ｇに土留杭４０、現場造成杭４１、仮設支柱４２等を打設し、その上にジャッキ１０及び仮設架台４３を設置する（同図（Ａ））。次いで、降下位置にあるジャッキ１０上に多層建築物１の屋上及び最上階Ｆ１０の床梁又は床板、柱・壁等の躯体を建て込むと共にコンクリートを打設し（同図（Ｂ））、構築した最上階Ｆ１０をジャッキ１０により上昇位置まで持ち上げてジャッキ１０の仮設柱体１０ａに設けた仮設ブラケット４４で支持する（同図（Ｃ））。なお図示例では、最上階Ｆ１０を持ち上げた段階で土留杭４０、現場造成杭４１、仮設支柱４２により地下躯体（基礎部）Ｂを構築している。最上階Ｆ１０を仮設ブラケット４４に支持したのちジャッキ１０を降下位置まで下降させ（同図（Ｄ））、下降したジャッキ１０の上に最上階Ｆ１０の下層階Ｆ９の床梁又は床板、柱・壁等の躯体を建て込むと共にコンクリートを打設し、構築した下層階Ｆ９を最上階Ｆ１０と結合してジャッキ１０により持ち上げ、仮設ブラケット４４に支持してジャッキ１０を下降させる（同図（Ｅ）〜（Ｇ））。同様のサイクルを下層階Ｆ８〜Ｆ２についても順次繰り返し（同図（Ｈ））、最後にジャッキ１０を撤去しつつ地上層Ｆ１を構築することにより、所定階層の多層構造物を構築する（同図（Ｉ））。
【０００４】
また、多層建築物１を解体する場合にも、クレーン等を用いて上層階から下層階へと順次に躯体・コンクリート等を破砕又は切断する従来の一般的な工法に代えて、例えば特許文献３及び４が開示するように、ジャッキによって多層建築物１を徐々に下降（ジャッキダウン）させながら下層階から上層階へと順次解体する工法（以下、ジャッキダウン工法ということがある）が開発されている。図６は、特許文献３の開示するジャッキダウン工法によって多層建築物１の上層階を下層階（図示例では地上階）に介装したジャッキ１０で下降させながら解体する手順を示す。
【０００５】
図６のジャッキダウン工法では、先ず多層建築物１の地上階Ｆ１の上部鉛直荷重を負担する全ての柱Ｐ１、Ｐ２、Ｐ３の下部にジャッキ１０を介装したうえで、ジャッキ上方の各階の下降の障害となる地上階Ｆ１の柱Ｐ以外の躯体やコンクリート（壁等）を解体撤去する（同図（Ａ））。次いで、全ての柱Ｐ１、Ｐ２、Ｐ３のジャッキ１０を同時に縮める収縮ステップと、各柱Ｐ１、Ｐ２、Ｐ３のジャッキ１０を柱相互間で荷重分担しながら順次にジャッキ直上部を吊るし切りして伸ばす伸張ステップとを繰り返すことにより、ジャッキ上方の柱に結合した上層階Ｆｊ（ｊ≧２）を徐々に下降させる（同図（Ｂ）〜（Ｃ））。ジャッキ上層階Ｆｊが１階層分下降したのち、下降した上層階Ｆ２に解体装置９を進入させて柱Ｐ以外の躯体やコンクリート（床梁又は床板・壁等）を解体撤去する（同図（Ｄ））。図９（Ｅ）は１階層分の解体後に同図（Ａ）と同じ状体に復帰することを示しており、上述したジャッキ上方の各階層の下降ステップと下降した階層の解体ステップとを同様に繰り返すことにより、３階Ｆ３以上の各層階も順次解体することができる（同図（Ｆ））。
【０００６】
上述したジャッキアップ工法及びジャッキダウン工法は、多層建築物１の構築作業や解体作業を特定の下層階（図示例では地上階）のみで行うので、地上階又は低層階のみを覆う比較的簡単な養生仮設によって飛石・粉塵・騒音等の周囲への飛散を防止することができ、構築作業や解体作業に伴う周囲環境への影響を小さく抑えることができる。また、作業階が地上階のみに限定されており、作業機械・設備等を上層階へ移動させる盛り替え作業が不要となるので省エネルギーであると共に、高さに拘わらず同じ工程速度で構築作業や解体作業を進めることができるので、クレーン等を用いる従来工法に比して多層建築物を短工期で効率的に構築又は解体することができ、構築作業又は解体作業の自動化を図ることも期待できる。
【先行技術文献】
【特許文献】
【０００７】
【特許文献１】特開平０７−０６２７４６号公報
【特許文献２】特公昭５４−０２１６５７号公報
【特許文献３】特開２００９−１３８３７７号公報
【特許文献４】特開２００９−１５６０２２号公報
【発明の開示】
【発明が解決しようとする課題】
【０００８】
しかし、図６のジャッキダウン工法は特定の構造種別（例えばＳ造）の建築物には適しているが、他の構造種別（例えばＲＣ造、ＳＲＣ造、ＣＦＴ造等）の建築物１には必ずしも適していない問題点がある。すなわち、図６の工法は伸縮ストローク長Ｌ１のジャッキ１０を用いてＳ造建築物１を解体する場合を想定しており、各柱Ｐのジャッキ１０を同時にストローク長Ｌ１だけ縮める収縮ステップと、各柱Ｐのジャッキ直上部を所定長さＬ１だけ吊るし切りしてジャッキ１０を伸ばす伸張ステップとを小刻みに繰り返すので、建築物１をストローク長Ｌ１（例えば７０ｃｍ程度）だけ下降させる度に全てのＳ造柱Ｐをそれぞれ切断する作業が必要となる。Ｓ造柱Ｐ（鉄骨）は比較的短時間で溶断可能であるが、他の構造種別の柱Ｐは例えばワイヤーソー等を使用して切断する必要があり、例えば１ｍ径のＲＣ造柱Ｐを切断するには装置準備も含めて３時間程度、鉄骨芯のあるＳＲＣ造柱Ｐの切断作業には５〜７時間を要する。従って、図６の工法では柱Ｐ等の切断に時間がかかるため、Ｓ造以外の建築物１を短工期で解体することは難しくなる。また、仮に工期的な制約がない場合でも、柱切断の要する労力、エネルギー等が大きくなり、柱切断時に発生する排水の処理量も増えることは望ましくはない。
【０００９】
図６のジャッキダウン工法をＳ造以外の多層建築物１に適用して短工期で解体するためには、建築物１の下降時に必要な柱Ｐの切断回数をできるだけ少なくし、建築物１を短時間で下降させる技術が必要である。また、ネジ式ジャッキ１０を使用して多層建築物１を１階層ずつ上昇させる図７のジャッキアップ工法においても、様々な構造種別の建築物１を短工期で効率的に構築するためには、建築物１を短時間でジャッキアップする技術が求められる。例えばネジ式ジャッキ以外の構造のジャッキ（油圧式ジャッキ等）を用いて多層建築物１を短時間で上層させることができれば、図７のジャッキアップ工法の短工期化を図ると共に、ジャッキアップ工法の適用対象の建築物１を広げることが期待できる。
【００１０】
そこで本発明の目的は、構造種別に拘らず多層建築物の下層階に介装したジャッキで上層階を短時間で上昇又は下降させることができる方法及びシステムを提供することにある。
【課題を解決するための手段】
【００１１】
図１（Ａ）〜（Ｃ）の実施例を参照するに，本発明による多層建築物の昇降方法は，多層建築物１（図６参照）の特定下層階Ｆｖの床面２上の複数位置にそれぞれジャッキ１０を設置すると共にジャッキ１０を内包する所定径の中空筒状ベース２９を配置し，筒状ベース２９上に同じ径で周方向に分割可能な複数の筒状片２１ａ，２１ｂを有すると共に各筒状片２１ａ，２１ｂの突き合わせ間隙に上下移動案内部２６と係止部２７とを設けた所定高さＬ１の半割型中空筒状ブロック２０を天井（上層階Ｆｊの床２）の近傍まで複数段積層配置し，そのブロック２０の積層体の中空部に荷重受け治具２２を上下移動可能に係合させ（図１（Ａ）参照），荷重受け治具２２をベース２９直上の最下段ブロック２０ａの１段上のブロック２０ｂの係止部２７に係止してジャッキ１０を伸張させ且つ係止部の上方ブロックを押し上げて上層階Ｆｊの荷重を支持しつつ最下段ブロック２０ａを分割して除去する伸張ステップ（図１（Ｂ）参照）と，ジャッキ１０を収縮させて前記押し上げた１段上のブロック２０ｂを筒状ベース２９上に着座させて新たな最下段ブロック２０ｂとし且つその新たな最下段ブロック２０ｂの１段上のブロック２０ａの係止部２７に荷重受け治具２２を移動させる収縮ステップ（図１（Ｃ）参照）とを繰り返すことにより，ジャッキ上層階Ｆｊを下降させてなるものである。
【００１２】
また，図１（Ａ）〜（Ｃ）の実施例を参照するに，本発明による多層建築物の昇降システムは，多層建築物１（図６参照）の特定下層階Ｆｖの床面２上の複数位置にそれぞれ設置するジャッキ１０とそのジャッキ１０を内包するように配置する所定径の中空筒状ベース２９；筒状ベース２９と同じ径で周方向に分割可能な複数の筒状片２１ａ，２１ｂを有すると共に各筒状片２１ａ，２１ｂの突き合わせ間隙に上下移動案内部２６と係止部２７とが設けられ且つ筒状ベース２９上に天井（上層階Ｆｊの床２）の近傍まで複数段積層配置する所定高さＬ１の半割型中空筒状ブロック２０；ブロック２０の積層体の中空部に上下移動可能に係合させる荷重受け治具２２；及び荷重受け治具２２をベース２９直上の最下段ブロック２０ａの１段上のブロック２０ｂの係止部２７に係止してジャッキ１０を伸張させ且つ係止部の上方ブロックを押し上げて上層階Ｆｊの荷重を支持しつつ最下段ブロック２０ａを分割して除去する伸張ステップ（図１（Ｂ）参照）と，ジャッキ１０を収縮させて前記押し上げた１段上のブロック２０ｂを筒状ベース２９上に着座させて新たな最下段ブロック２０ｂとし且つその新たな最下段ブロック２０ｂの１段上のブロック２０ａの係止部２７に荷重受け治具２２を移動させる収縮ステップ（図１（Ｃ）参照）とを繰り返すことにより，ジャッキ上層階Ｆｊを下降させるジャッキ制御装置１２を備えてなるものである。
【００１３】
或いは，図２（Ａ）〜（Ｃ）に示すように，ジャッキ制御装置１２により，荷重受け治具２２を筒状ベース直上の最下段ブロック２０ａの係止部２７に係止して各ジャッキ１０を伸張させ且つ係止部の上方ブロックを押し上げた下方間隙に筒状片２１ｃ，２１ｄを挿入して新たな最下段ブロック２０ｂを組み立てる伸張ステップ（図２（Ｂ）参照）と，ジャッキ１０を収縮させて前記押し上げた係止部の上方ブロックを新たな最下段ブロック２０ｂ上に着座させ且つその新たな最下段ブロック２０ｂの係止部２７に荷重受け治具２２を移動させる収縮ステップ（図２（Ｃ）参照）とを繰り返すことにより，多層建築物１（図７参照）のジャッキ上層階Ｆｊを上昇させることができる。
【００１４】
他の実施例では，図１（Ｄ）〜（Ｇ）に示すように，多層建築物１（図６参照）の特定下層階Ｆｖの床面２上の複数位置にそれぞれ所定径の中空筒状ベース２９を配置し，筒状ベース２９上に同じ径で周方向に分割可能な複数の筒状片２１ａ，２１ｂを有すると共に各筒状片２１ａ，２１ｂの突き合わせ間隙に上下移動案内部２６と係止部２７とを設けた所定高さＬ１の半割型中空筒状ブロック２０を天井（上層階Ｆｊの床２）の近傍まで複数段積層配置し，そのブロック２０の積層体の中空部に荷重受け治具２２を上下移動可能に係合させ，荷重受け治具２２上にジャッキ１０を設置して積層体に内包させ（図１（Ｄ）参照），ジャッキ制御装置１２により，荷重受け治具２２を最上段ブロック２０ａの１段下のブロック２０ｂの係止部２７に係止して各ジャッキ１０を伸張させて上層階Ｆｊに当接させ且つ上層階Ｆｊの荷重を支持しつつ最上段ブロック２０ａを分割して除去する伸張ステップ（図１（Ｇ）参照）と，ジャッキ１０を収縮させて上層階を１段下の新たな最上段ブロック２０ｂ上に着座させ且つその新たな最上段ブロック２０ｂの１段下のブロック２０ａの係止部２７に荷重受け治具２２を移動させる収縮ステップ（図１（Ｆ）参照）とを繰り返すことにより，ジャッキ上層階Ｆｊを下降させることができる。
或いは，図２（Ｄ）〜（Ｆ）に示すように，ジャッキ制御装置１２により，荷重受け治具２２を最上段ブロック２０ａの係止部２７に係止して各ジャッキ１０を伸張させて上層階Ｆｊに当接させ且つ上層階Ｆｊを押し上げた下方間隙に筒状片２１ｃ，２１ｄを挿入して新たな最上段ブロック２０ｂを組み立てる伸張ステップ（図２（Ｅ）参照）と，ジャッキ１０を収縮させて上層階Ｆｊを前記新たな最上段ブロック２０ｂ上に着座させ且つその新たな最上段ブロック２０ｂの係止部２７に荷重受け治具２２を移動させる収縮ステップ（図２（Ｆ）参照）とを繰り返すことにより，多層建築物１（図７参照）のジャッキ上層階Ｆｊを上昇させることができる。
【発明の効果】
【００１５】
本発明による多層建築物の昇降方法及びシステムは，多層建築物１の特定下層階Ｆｖにジャッキ１０を設置すると共にジャッキ１０を内包する所定径の中空筒状ベース２９を配置し，筒状ベース２９上に同じ径で周方向に分割可能な複数の筒状片２１ａ，２１ｂを有すると共に各筒状片２１ａ，２１ｂの突き合わせ間隙に上下移動案内部２６と係止部２７とを設けた所定高さＬ１の半割型中空筒状ブロック２０を天井（上層階Ｆｊの床２）の近傍まで複数段積層配置すると共に，その積層体の中空部に荷重受け治具２２を上下移動可能に係合させ，荷重受け治具２２をベース２９直上の最下段ブロック２０ａの１段上のブロック２０ｂの係止部２７に係止してジャッキ１０を伸張させ且つ係止部の上方ブロックを押し上げて上層階Ｆｊの荷重を支持しつつ最下段ブロック２０ａを分割して除去する伸張ステップと，ジャッキ１０を収縮させて前記押し上げた１段上のブロック２０ｂを筒状ベース２９上に着座させて最下段ブロック２０ｂとし且つその最下段ブロック２０ｂの１段上のブロック２０ａの係止部２７に荷重受け治具２２を移動させる収縮ステップとを繰り返すことにより上層階Ｆｊを上昇又は下降させるので，次の効果を奏する。
【００１６】
（イ）中空部に荷重受け治具２２を上下移動可能に係合させた半割型中空筒状ブロック２０の積層体で上層階Ｆｊの荷重を支持し、積層体内で荷重受け治具２２の係止部位を移動させながら積層体の最下段に内包させたジャッキ１０を伸縮させて最下段ブロックを組み立て又は除去することにより、最下段ブロックの追加又は撤去という簡単な作業でジャッキ上層階を短時間で上昇又は下降させることができる。
（ロ）従来のジャッキダウン工法に本発明の昇降方法を適用し、多層建築物１の特定下層階（例えば地上階）Ｆｖの各柱Ｐを床面位置と天井位置とで切断して中空筒状ブロック２０の積層体で置き換えることにより、最小限の柱切断回数でジャッキ上層階Ｆｊを降下させることが可能となり、柱切断時間ひいては建築物の解体工期を短縮すると共に柱切断に要する労力、エネルギー、排水処理等を削減することができる。
（ハ）また、ジャッキアップ工法に本発明の昇降方法を適用し、多層建築物１の特定下層階（例えば地上階）Ｆｖに中空筒状ブロック２０の積層体を配置してジャッキ上層階Ｆｊを上昇させることにより、油圧式ジャッキ等をジャッキアップ工法に適用することが可能となり、従来のネジ式ジャッキを用いた工法に比してジャッキアップ工法の短工期化及び適用範囲の拡大を図ることができる。
（ニ）ジャッキ１０は、中空筒状ブロック２０の積層体の最下段の中空部に代えて荷重受け治具２２上に設置して内包させることも可能であり、積層体を設置する床面位置に応じてジャッキ１０の設置部位を切り替えることもできる。
【図面の簡単な説明】
【００１７】
以下、添付図面を参照して本発明を実施するための形態及び実施例を説明する。
【図１】は、本発明による多層建築物の下降システムの一実施例である。
【図２】は、本発明による多層建築物の上昇システムの一実施例である。
【図３】は、本発明の昇降方法で用いる半割型中空筒状ブロックの一実施例の説明図である。
【図４】は、本発明による多層建築物の昇降方法の一実施例である。
【図５】は、本発明による多層建築物の昇降方法の他の実施例である。
【図６】は、多層建築物を下降させながら解体する従来のジャッキダウン工法の説明図である。
【図７】は、多層建築物を上昇させながら構築する従来のジャッキアップ工法の説明図である。
【発明を実施するための最良の形態】
【００１８】
図１は、例えば図６に示すジャッキダウン工法に本発明の昇降方法を適用した実施例を示す。先ず図１（Ａ）に示すように多層建築物１の特定下層階Ｆｖ（例えば地上階Ｆ１）の上部荷重を負担する全ての柱Ｐをそれぞれ床面位置と天井位置（上層階Ｆｊの床梁又は床板２の直下部位）とで切断し、各柱Ｐの切断部の下端位置にそれぞれジャッキ１０を設置すると共に、そのジャッキ１０を内包するように所定径の中空筒状ベース２９を周囲に配置する。次いで、筒状ベース２９上に同じ径で所定高さＬ１の半割型中空筒状ブロック２０を特定下層階Ｆｖの天井近傍まで複数段（図示例では５段）積み上げ、柱Ｐの切断部分を複数の筒状ブロック２０の積層体で置き換える。
【００１９】
図１（Ａ）において、特定下層階Ｆｖの各柱Ｐは、他の柱に上部荷重を支持させながら１本ずつ又は複数本まとめて吊るし切りし、順次に筒状ブロック２０の積層体へ置き換えることができる。吊るし切りが困難である場合は、必要に応じて図４（Ａ）に示すように柱Ｐの周囲に支保部材（サポート部材）１９を配置して上部荷重を支持しながら柱Ｐを切断してもよい。なお、図示例では多層建築物１の地上階Ｆ１を特定下層階Ｆｖとしてジャッキ１０を設置しているが、ジャッキダウン工法のジャッキ設置階は地上階Ｆ１に限るものではなく、建築物１の２階Ｆ２、３階Ｆ３、又は地下階Ｂ１〜Ｂ３を特定下層階Ｆｖとすることも可能である。
【００２０】
図１（Ａ）では、特定下層階Ｆｖの天井（各柱Ｐの切断上端）に当接するまで筒状ブロック２０の積層体を積み上げることにより、その上層階Ｆｊの荷重を積層体で支持している。ただし、本発明では後述するジャッキ１０の伸張ステップにおいて上層階Ｆｊの荷重を積層体で支持することができれば足り、ジャッキ１０の伸張前に特定下層階Ｆｖの天井とブロック２０の積層体との間に多少の隙間（ジャッキ１０の伸縮ストローク長Ｌ１より小さい隙間）が存在していてもよい。すなわち、筒状ブロック２０は図示例のように天井に当接するまで積み上げる必要はなく、ジャッキ１０の伸張ステップにおいて天井に当接することができる天井近傍まで積み上げれば足りる。積層体の頂部には当て板又はシュー等の調整部材１１を配置し、天井との当接時に柱Ｐの切断面の凹凸の影響を避けることが望ましい。
【００２１】
筒状ベース２９及び筒状ブロック２０は、それぞれ上部荷重を支持する強度・耐力を有しており、例えばボルト等で分離可能に接合させて積み上げることができる。そのように積み上げた積層体は、後述するようにジャッキ１０の伸長ステップにおいて、最下段（又は最上段）から１ブロックずつ筒状ブロック２０を分離して除去することができる（図１（Ｂ）参照）。各ブロック２０の所定高さＬ１は、例えばジャッキ１０の伸縮ストローク長Ｌ１と同じ高さ又はその整数分の１の高さとすることが望ましいが、ジャッキ１０の伸縮ストローク長Ｌ１の範囲内で適宜高さを選択することが可能であり、伸縮ストローク長Ｌ１の範囲内でブロック２０毎に異なる高さＬ１としてもよい。
【００２２】
図３は、本発明で用いる半割型中空筒状ブロック２０の一例を示す。図３（Ａ）の筒状ブロック２０ａは、周方向に分割可能な複数の筒状片２１ａ、２１ｂを例えば解除可能な締結具２８によって筒状に結合したものであり、両筒状片２１ａ、２１ｂの間に突合せ間隙を設けて後述する荷重受け治具２２の上下移動案内部２６とし、各筒状片２１ａ、２１ｂの下端２４に一部切欠きを設けて荷重受け治具２２の係止部２７としたものである。また図３（Ｂ）の筒状ブロック２０ｂは、周方向に分割可能な複数の筒状片２１ｃ、２１ｄを筒状ブロック２０ａと同様に締結部２８等によって筒状に結合させ、両筒状片２１ｃ、２１ｄの間に荷重受け治具２２の上下移動案内部２６となる突合せ間隙を設けたものであるが、各筒状片２１ｃ、２１ｄの下端２４に設けた係止部２７の案内部２６に対する相対的な位置を筒状ブロック２０ａと相違させたものである。
【００２３】
なお、図示例では一対の半割型筒状片２１ａ、２１ｂ（又は２１ｃ、２１ｄ）により筒状ブロック２０ａ（又は２０ｂ）を構成しているが、筒状片２１の分割数は図示例に限定されず、筒状ブロック２０を３以上の筒状片２１で構成してもよい。また、図示例では各筒状片２１の下端２４を一部切欠いて荷重受け治具２２の係止部２７を設けているが、係止部２７は各筒状片２１の上端２３に設けてもよく、或いは下端２４と上端２３とを結ぶ上下移動案内部２６の一部に分岐を設けて係止部２７としてもよい。図１に示す筒状ベース２９も図３の中空筒状ベース２９と同様の半割型筒状構造とすることができ、例えば図１（Ａ）において筒状ベース１９を省略し、特定下層階Ｆｖの床面から天井近傍まで中空筒状ベース２９を積上げて積層体を形成することも可能である。
【００２４】
例えば、図３（Ａ）の筒状ブロック２０ａと図３（Ｂ）の筒状ブロック２０ｂとを、図３（Ｄ）及び（Ｅ）に示すように各ブロック２０ａ、２０ｂの上下移動案内部２６が上下方向に繋がるように交互に積み重ねて積層体を形成し、そのブロック積層体の中空部に図３（Ｃ）に示すような荷重受け治具２２を上下移動可能に係合させる。図示例の荷重受け治具２２は、中間円盤部２２ｂとその両端に突出する棒状端部２２ａと有し、例えば係止部２７から積層体の中空部内に挿入し、両端の棒状端部２２ａを案内部２６に係合させて中間円盤部２２ｂを上下方向の移動を許容すると共に、両端の棒状端部２２ａを係止部２７に係合させて中間円盤部２２ｂの上下方向の移動を禁止することができる。また、図示例のように各ブロック２０ａ、２０ｂを垂直方向の案内部２６が水平方向の係止部２７を介して折れ線状に繋がるように積み重ねて積層体とすることにより、同図に白三角矢印で示すように、荷重受け治具２２を任意のブロック２０に容易に係止させると共に、その係止を容易に解放して上下方向のブロック２０へ移動させることができる。ただし、荷重受け治具２２の形状は図示例に限定されず、積層体の中空部に係合して中空部内を上下移動可能な形状であれば足りる。
【００２５】
図１（Ａ）に示すように各柱Ｐの切断部分にそれぞれ、例えば図３（Ｄ）のように筒状ブロック２０ａ、２０ｂの積層体を積上げたのち、図１（Ｂ）に示すように各ブロック積層体の中空部に係合させた荷重受け治具２２を最下段ブロック２０ａとその上段ブロック２０ｂとの間に係止し、積層体内のジャッキ１０を伸張させて上層階Ｆｊの荷重を支持する（伸長ステップ）。ジャッキ１０を荷重受け治具２２に当接させながら伸長させることにより、ジャッキ１０の作用力によって積層体の係止部位の上方ブロック（すなわち最下段以外のブロック）を押し上げて最下段ブロック２０ａを上部荷重から解放し、最下段ブロック２０ａを複数の筒状片２１ａ、２１ｂに分割して除去することができる（図４（Ｃ）も参照）。図１（Ｂ）では、ジャッキ１０は上部荷重を支持しながら伸長させることができ、全ての柱Ｐの積層体の最下段ブロック２０ａとその上段ブロック２０ｂとの間に荷重受け治具２２を係止したうえで、特定下層階Ｆｖの全ての柱Ｐのジャッキ１０を同時に伸長させることが可能である。ただし、上述した各柱Ｐを切断する場合と同様に、各柱Ｐのジャッキ１０を１本ずつ又は複数本まとめて伸張させてもよい。
【００２６】
次いで図１（Ｃ）に示すように、特定下層階Ｆｖの全てのジャッキ１０を同時に収縮して荷重受け治具２２で押し上げられた係止部位の上方ブロックを筒状ベース２９上に着座させ、着座させた上方ブロック（最下段ブロック２０ｂ）の係止部２７から荷重受け治具２２を解放し、図３（Ｄ）の白三角矢印に示すように最下段ブロック２０ｂの上下移動案内部２６を介して荷重受け治具２２を最下段ブロック２０ｂとその上段ブロック２０ａとの間の係止部２７に移動させる（収縮ステップ）。全てのジャッキ１０を同時に収縮させることにより、ジャッキ上層階Ｆｊを水平に維持しつつジャッキ１０のストローク長Ｌ１だけ下降させることができる（図４（Ｄ）も参照）。
【００２７】
図示例では、ケーブル１７を介して各ジャッキ１０をジャッキ制御装置１２に接続し、制御装置１２によって全てのジャッキ１０の伸長ステップ（図１（Ｂ））と収縮ステップ（図１（Ｃ））とを個別に制御している。図示例のジャッキ制御装置１２は、上述した図１（Ｂ）のように各柱Ｐのジャッキ１０を同時に又は１本ずつ伸長させる伸長ステップ手段１４と、図１（Ｃ）のように各柱Ｐのジャッキ１０を同時に縮める収縮ステップ手段１５と、各ジャッキ１０のストローク長Ｌ１や各ステップの繰り返し回数等を記憶する記憶手段１６を有している。例えばジャッキ１０を油圧ジャッキ装置とし、各ジャッキ１０に供給される油圧を制御装置１２で制御することによりジャッキ１０を伸長又は収縮させる。ただし、本発明で利用可能なジャッキ１０は油圧ジャッキ装置に限定されず、建築物１の各柱Ｐを支持できる十分な揚力及び耐荷重性能を有する適当なジャッキ装置を利用することができる。
【００２８】
図４は、ジャッキ制御装置１２によって図１（Ｂ）〜（Ｃ）のように各柱Ｐのジャッキ１０の伸長ステップと収縮ステップとを繰り返すことにより、建築物１のジャッキ上層階Ｆｊを所定高さＬ１ずつ降下させる処理を示す（同図（Ｅ）〜（Ｌ）参照）。図４の実施例では、伸長ステップと収縮ステップとを５回繰り返すことにより、多層建築物１を１階層高さＬだけ降下させている。図４（Ｌ）において、ジャッキ上層階Ｆｊを解体に適する１階層高さＬだけ降下させたのち、図６（Ｄ）を参照して上述したように、降下したジャッキ上層階Ｆｊに解体装置９を進入させて柱以外の躯体やコンクリート（床梁又は床板・壁等）を解体撤去する。図４（Ｌ）は同図（Ａ）の柱Ｐの切断前と同じ状態に復帰することを示しており、再び同図（Ａ）に戻って各柱Ｐを床面位置から天井位置なで切断すると共に、同図（Ｂ）に示すように柱Ｐの切断部分を複数段の半割型中空筒状ブロック２０の積層体で置き換えて上層階Ｆ（ｊ＋１）の荷重を支持し、同図（Ｃ）〜（Ｌ）のように各ジャッキ１０の伸長ステップ及び収縮ステップを繰り返すことにより、ジャッキ上層階Ｆ（ｊ＋１）を階層毎に順次解体する。
【００２９】
図１及び図４のように特定下層階Ｆｖの各柱Ｐを床面位置と天井位置との２箇所で切断し、筒状ブロック２０の積層体に置き換えて上層階Ｆｊの荷重を支持する方法によれば、ジャッキダウン工法において柱Ｐの切断回数を最小限に抑えつつ上層階Ｆｊを短時間で下降させることができる。すなわち、図６の工法では建築物１をストローク長Ｌ１（例えば７０ｃｍ程度）だけ下降させる度に柱Ｐを切断する必要があり、建築物１を１階層高さ（例えば３．５ｍ程度）下降させるために各柱Ｐを少なくとも５回切断する必要があるのに対し、図１（Ａ）のように柱Ｐの切断部分を複数の筒状ブロック２０の積層体で置き換える方法によれば、建築物１を１階層高さ下降させるために必要な柱Ｐの切断回数を２箇所（２階Ｆ２以上の解体時は１箇所）に抑え、ブロック２０の除去のみによって建築物１をストローク長Ｌ１ずつ下降させることができる（図４の流れ図を参照）。また、Ｓ造、ＲＣ造、ＳＲＣ造、ＣＦＴ造等の構造種別に拘わらず柱Ｐの切断回数を一定とすることができ、一箇所当たりの切断及び撤去に要する時間は構造種別によって相違するものの、何れの構造種別においても建築物１の解体工期を短縮することが期待できる。
【００３０】
また図３のような半割型中空筒状ブロック２０は量産化が可能であり、解体する構造物１の階層高さＬに応じて筒状ブロック２０の所定高さＬ１を調整することも容易である。構造物の階層高さＬが大きく、ジャッキ１０の伸長ステップ又は収縮ステップにおいて筒状ブロック２０の積層体が転倒する等のおそれがある場合は、必要に応じて特定下層階Ｆｖの各柱Ｐの周囲に放射状の斜材（図示せず）を設けて筒状ブロック２０の積層体を支持することも可能である。
【００３１】
更に、図３の半割型中空筒状ブロック２０は、図６のようなジャッキダウン工法だけでなく、図７のようなジャッキアップ工法に適用してジャッキ上層階Ｆｊを短時間で上昇させる場合にも利用することができる。図２（Ａ）〜（Ｃ）は、本発明の昇降方法を図７のジャッキアップ工法に適用した実施例を示す。図７のようなネジ式ジャッキ１０に代えて、例えば、図２（Ａ）に示すように多層建築物１の特定下層階Ｆｖ（例えば地上階Ｆ１）の複数の床面位置にそれぞれジャッキ１０を設置すると共に、そのジャッキ１０を内包するように所定径の中空筒状ベース２９を配置し、更に筒状ベース２９上に図３（Ａ）のような半割型中空筒状ブロック２０ａを積層したうえで、その最下段ブロック２０ａ上で上層階Ｆｊの柱Ｐや壁、床梁又は床板２を構築する。
【００３２】
最下段ブロック２０ａ上で上層階Ｆｊを構築したのち、図２（Ａ）に示すように最下段ブロック２０ａと筒状ベース２９との間の係止部２７に荷重受け治具２２を挿入・係止したうえで、図２（Ｂ）に示すように特定下層階Ｆｖの全てのジャッキ１０を同時に伸張させて上層階Ｆｊの荷重を支持する（伸長ステップ）。ジャッキ１０を荷重受け治具２２に当接させながら伸長させることにより積層体の係止部位の上方ブロック（すなわち筒状ベース２９以外のブロック２０ａ）を所定高さＬ１だけ押し上げ、押し上げたブロック２０ａの下方間隙に筒状片２１ｃ、２１ｄを挿入して最下段ブロック２０ｂを組み立てる。また、全てのジャッキ１０を同時に伸張させることにより、ジャッキ上層階Ｆｊを水平に維持しつつジャッキ１０のストローク長Ｌ１だけ上昇させることができる。
【００３３】
次いで図２（Ｃ）に示すように、各ジャッキ１０を同時に収縮して荷重受け治具２２で押し上げられた係止部位の上方ブロック（筒状ベース２９以外のブロック２０ａ）を最下段ブロック２０ｂ上に着座させ、着座させた上方ブロック（ブロック２０ａ）の係止部２７から荷重受け治具２２を解放し、図３（Ｅ）の白三角矢印に示すように最下段ブロック２０ｂの上下移動案内部２６を介して荷重受け治具２２を最下段ブロック２０ｂと筒状ベース２９との間の係止部２７に移動させる（収縮ステップ）。図２（Ｃ）の収縮ステップでは、全ての柱Ｐのジャッキ１０を同時に収縮させることが可能であるが、ジャッキ１０を１個ずつ収縮させてもよい。
【００３４】
図２（Ｂ）及び（Ｃ）のような伸長ステップ及び収縮ステップも、各ジャッキ１０に接続したジャッキ制御装置１２によって制御することができる。例えばジャッキ制御装置１２によって図４の流れ図と逆向きに各ジャッキ１０の伸長ステップ（図２（Ｂ））と収縮ステップ（図２（Ｃ））とを繰り返し、図４（Ｌ）のジャッキ１０上で構築された上層階Ｆｊに対して図４（Ｋ）、同図（Ｉ）、同図（Ｇ）、同図（Ｅ）、同図（Ｃ）のように５回の伸長ステップと収縮ステップとを繰り返すことにより、多層建築物１を１階層高さＬだけ上昇させることができる。図４（Ｂ）において、ジャッキ上層階Ｆｊを１階層高さＬだけ上昇させたのち、必要に応じて図４（Ａ）のように支保部材（サポート部材）１９で上層階Ｆｊを支持したうえで、図７（Ｅ）を参照して上述したようにジャッキ１０の上に次の上層階Ｆ（ｊ−１）を構築する。上層階Ｆ（ｊ−１）を構築することで図４（Ｌ）の状態に復帰するので、再び図４の流れ図を逆向きに各ジャッキ１０の伸長ステップ（図２（Ｂ））と収縮ステップ（図２（Ｃ））とを繰り返すことにより、所定階層の多層構造物を構築することができる（図７（Ｉ）参照）。
【００３５】
こうして本発明の目的である「構造種別に拘らず多層建築物の下層階に介装したジャッキで上層階を短時間で上昇又は下降させることができる方法及びシステム」を提供することができた。
【実施例１】
【００３６】
図１（Ｄ）〜（Ｇ）は、図３を参照して上述した半割型中空筒状ブロック２の積層体を用いた本発明の他の実施例を示す。ただし本実施例では、図１（Ａ）〜（Ｃ）のように特定下層階Ｆｖの床面位置にジャッキ１０を設置して多層建築物１を下降させる方法に代えて、積層体の中空部に係合させた荷重受け治具２２上にジャッキ１０を設置している。すなわち、多層建築物１の特定下層階Ｆｖ（例えば地上階Ｆ１）の上部荷重を負担する全ての柱Ｐをそれぞれ切断し、各柱Ｐの切断床面位置に中空筒状ベース２９及び筒状ブロック２０を天井近傍（各柱Ｐの切断上端近傍）まで積み上げて積層体を形成すると共に、その積層体の中空部に荷重受け治具２２（図３（Ｃ）参照）を上下移動可能に係合させ、その荷重受け治具２２上にジャッキ１０を載置して積層体に内包させる。図示例では、説明簡単化のため、伸縮時におけるジャッキ１０の本体高さを筒状ブロック２０と実質上同じ高さＬ１（ジャッキ１０の伸縮ストローク長Ｌ１と同じ高さ）としているが、上述したブロック２０の所定高さＬ１と同様にジャッキ１０の大きさも調整可能である。
【００３７】
先ず図１（Ｄ）において、床面上の複数位置にそれぞれ図３（Ｅ）のような筒状ブロック２０ａ、２０ｂの積層体を積上げ、ブロック積層体の中空部に係合させた荷重受け治具２２を最上段ブロック２０ａの係止部２７に係止したのち、図１（Ｅ）に示すように、荷重受け治具２２上のジャッキ１０を伸長させて上層階Ｆｊに当接させることにより上層階Ｆｊの荷重を支持する（伸長ステップ）。図１（Ｅ）においても、図１（Ｂ）の場合と同様に、各積層体の最上段ブロック２０ａにそれぞれ荷重受け治具２２を係止したうえで、全ての積層体のジャッキ１０を同時に伸長させることが可能である。
【００３８】
次いで図１（Ｆ）に示すように、各積層体のジャッキ１０を同時に収縮して押し上げられた上層階Ｆｊを最上段ブロック２０ａ上に着座させ、着座させた最上段ブロック２０ａの係止部２７から荷重受け治具２２を解放し、図３（Ｅ）の白三角矢印に示すように最上段ブロック２０ａの上下移動案内部２６を介して荷重受け治具２２をジャッキ１０と共に下方移動させ、その下段ブロック２０ｂの係止部２７にジャッキ１０が載置された荷重受け治具２２を移動させる（収縮ステップ）。この場合も、図１（Ｃ）の場合と同様に全ての積層体のジャッキ１０を同時に収縮させることにより、ジャッキ上層階Ｆｊを水平に維持しつつジャッキ１０のストローク長Ｌ１だけ下降させることができる（図５（Ｄ）も参照）。その後、図１（Ｇ）に示すように、荷重受け治具２２に反力を取りながらジャッキ１０を伸長させ、上層階Ｆｊを押し上げて積層体の最上段ブロック２０ａを上部荷重から解放することにより、最上段ブロック２０ａを複数の筒状片２１ｃ、２１ｄに分割して除去する（図５（Ｃ）も参照）。
【００３９】
図５は、ジャッキ制御装置１２によって上述した各ジャッキ１０の伸長ステップ（図１（Ｇ））と収縮ステップ（図１（Ｆ））とを繰り返すことにより、建築物１のジャッキ上層階Ｆｊを所定高さＬ１ずつ降下させる処理を示す（図５（Ｅ）〜（Ｍ）参照）。図５（Ｎ）において、ジャッキ上層階Ｆｊを解体に適する１階層高さＬだけ降下させたのち、図４（Ｌ）の場合と同様に降下したジャッキ上層階Ｆｊに解体装置９を進入させて柱以外の躯体やコンクリート（床梁又は床板・壁等）を解体撤去する。図５（Ｎ）は同図（Ａ）の柱Ｐの切断前と同じ状態に復帰することを示しており、再び同図（Ａ）に戻って各柱Ｐを床面位置から天井位置なで切断すると共に、同図（Ｂ）に示すように柱Ｐの切断部分に半割型中空筒状ブロック２０の積層体を積上げ、積層体の中空部に係合させた荷重受け治具２２上に設置したジャッキ１０で上層階Ｆ（ｊ＋１）の荷重を支持しつつ伸長ステップ及び収縮ステップを同図（Ｃ）〜（Ｍ）のように繰り返すことにより、ジャッキ上層階Ｆ（ｊ＋１）を階層毎に順次解体することができる。
【００４０】
また図２（Ｄ）は、図２（Ａ）のように特定下層階Ｆｖの床面位置にジャッキ１０を設置して建築物１を上昇させる方法に代えて、積層体の中空部に係合させた荷重受け治具２２上にジャッキ１０を設置してジャッキ上層階Ｆｊを上昇させる本発明の他の実施例を示す。例えば、図２（Ｄ）に示すように多層建築物１の特定下層階Ｆｖ（例えば地上階Ｆ１）の複数の床面位置にそれぞれ中空筒状ベース２９及び筒状ブロック２０ａを積み上げ、その最上段の筒状ブロック２０ａ上で上層階Ｆｊの柱Ｐや壁、床梁又は床板２を構築する。また、その筒状ベース２９と筒状ブロック２０ａとの間の係止部２７に荷重受け治具２２を上下移動可能に係合させ、その荷重受け治具２２上にジャッキ１０を載置して筒状ブロック２０ａに内包させる。
【００４１】
最上段ブロック２０ａ上で上層階Ｆｊを構築したのち、図２（Ｅ）に示すように、荷重受け治具２２上のジャッキ１０を上層階Ｆｊに当接させて荷重を支持しながら伸長させる（伸長ステップ）。荷重受け治具２２に反力を取りながらジャッキ１０を伸長させて上層階Ｆｊを所定高さＬ１だけ押し上げ、押し上げた上層階Ｆｊの下方間隙に筒状片２１ｃ、２１ｄを挿入して最下段ブロック２０ｂを組み立てる。この場合も、図２（Ｂ）の場合と同様に全てのジャッキ１０を同時に伸張させることにより、ジャッキ上層階Ｆｊを水平に維持しつつジャッキ１０のストローク長Ｌ１だけ上昇させることができる。
【００４２】
次いで図２（Ｆ）に示すように、各ジャッキ１０を収縮させて押し上げられた上層階Ｆｊを最上段ブロック２０ｂ上に着座させ、筒状ベース２９と下段ブロック２０ａとの間の係止部２７から荷重受け治具２２を解放し、図３（Ｄ）の白三角矢印に示すように下段ブロック２０ａの上下移動案内部２６を介して荷重受け治具２２を最上段ブロック２０ｂと下段ブロック２０ａとの間の係止部２７に移動させる（収縮ステップ）。図２（Ｆ）の収縮ステップでは、図２（Ｃ）の場合と同様に全ての柱Ｐのジャッキ１０を同時に収縮させることの可能であるが、ジャッキ１０を１個ずつ収縮させてもよい。
【００４３】
図２（Ｅ）及び（Ｆ）のような伸長ステップ及び収縮ステップも、各ジャッキ１０に接続したジャッキ制御装置１２によって図５の流れ図と逆向きに繰り返し、図５（Ｎ）のジャッキ１０上で構築された上層階Ｆｊに対して図５（Ｌ）、同図（Ｉ）、同図（Ｆ）、同図（Ｃ）のように伸長ステップと収縮ステップとを繰り返すことにより、多層建築物１を１階層高さＬだけ上昇させることができる。図５（Ｂ）において、ジャッキ上層階Ｆｊを１階層高さＬだけ上昇させたのち、必要に応じて図５（Ａ）のように支保部材（サポート部材）１９で上層階Ｆｊを支持したうえで、図７（Ｅ）を参照して上述したようにジャッキ１０の上に次の上層階Ｆ（ｊ−１）を構築する。上層階Ｆ（ｊ−１）を構築することで図５（Ｎ）の状態に復帰するので、再び図５の流れ図を逆向きに各ジャッキ１０の伸長ステップ（図２（Ｅ））と収縮ステップ（図２（Ｆ））とを繰り返すことにより、所定階層の多層構造物を構築することができる（図７（Ｉ）参照）。
【符号の説明】
【００４４】
１…多層建築物                      ３…床面（天井面）
９…解体装置
１０…ジャッキ                      １０ａ…仮設柱体
１１…調整部材（シュー）            １２…ジャッキ制御装置
１４…伸長ステップ手段              １５…収縮ステップ手段
１６…記憶手段                      １７…ケーブル
１９…支保部材（サポート部材）
２０…筒状ブロック                  ２１…半割筒状片
２２…荷重受け治具                  ２３…上端
２４…下端                          ２５…中空部
２６…案内部                        ２７…係止部
２８…締結具                        ２９…筒状ベース
３０…荷重伝達構造体（コア壁）      ３２…荷重伝達梁
４０…土留杭                        ４１…造成杭
４２…仮設支柱                      ４３…仮設架台
４４…仮設ブラケット
Ｂ…基礎部                          Ｆ…階層
Ｇ…地盤                            Ｐ…柱
【図１】
0005709208.tif 000002
【図２】
0005709208.tif 000003
【図３】
0005709208.tif 000004
【図４】
0005709208.tif 000005
【図５】
0005709208.tif 000006
【図６】
0005709208.tif 000007
【図７】
0005709208.tif 000008